【手続補正書】
【提出日】平成20年7月25日(2008.7.25)
【手続補正１】
【補正対象書類名】明細書
【補正対象項目名】特許請求の範囲
【補正方法】変更
【補正の内容】
【特許請求の範囲】
【請求項１】  複数の画像が記録された記録媒体より前記画像を再生する再生手段と、
前記再生手段によって再生された画像を表示部に表示させる表示制御手段と、
前記表示部に表示された画像を更新する更新手段と、
前記更新手段による前記表示された画像の更新間隔を前記記録媒体に記憶されている画像数に応じて変更する制御手段とを備え、
前記制御手段は、前記記録媒体に記憶されている画像数が多くなるにつれて、短い更新間隔で前記表示された画像を更新可能となるよう制御することを特徴とする画像再生装置。
【請求項２】  複数の画像が記録された記録媒体より前記画像を再生する再生手段と、
前記再生手段によって再生された画像を表示部に表示させる表示制御手段と、
前記表示部に表示された画像を更新する更新手段と、
前記更新手段による前記表示された画像の更新間隔を、前記更新手段によって更新された画像数に応じて変更する制御手段とを備え、
前記制御手段は、前記更新手段によって更新された画像数が多くなるにつれて、短い更新間隔で前記表示された画像を更新可能となるよう制御することを特徴とする画像再生装置。
【請求項３】  複数の画像が記録された記録媒体より前記画像を再生する再生手段と、
前記再生手段によって再生された画像を表示部に表示させる表示制御手段と、
前記表示部に表示された画像を更新する更新手段と、
前記更新手段による前記表示された画像の更新間隔を、前記記録媒体に記憶されている画像数及び前記更新手段によって更新された画像数に応じて変更する制御手段とを備え、
前記制御手段は、前記記録媒体に記憶されている画像数が所定数以上である場合に、前記更新手段によって更新された画像数が多くなるにつれて、短い更新間隔で前記表示された画像を更新可能となるよう制御することを特徴とする画像再生装置。
【請求項４】  複数の画像が記録された記録媒体より前記画像を再生する再生手段と、
前記再生手段によって再生された画像を表示部に表示させる表示制御手段と、
前記表示部に表示された画像を更新する更新手段と、
前記更新手段による前記表示された画像の更新間隔を、前記更新手段によって更新された画像数に応じて変更する制御手段とを備え、
前記制御手段は、前記更新手段によって更新された画像数が所定数に達する毎に段階的に更新間隔を短くするよう制御することを特徴とする画像再生装置。
【請求項５】  請求項２乃至４の何れか１項において、
前記制御手段は、前記更新手段によって更新された更新開始位置からの画像数が前記記録媒体に記憶されている画像数と同じになった場合においては、前記更新された画像数の初期化を行うことを特徴とする画像再生装置。
【請求項６】  請求項１乃至４の何れか１項において、
前記更新手段は、画像送りスイッチを有し、該画像送りスイッチは、押圧した数だけ画像を送る第１の機能と、押圧し続けている間、前記記録媒体から画像を自動的に順次読み出して表示させる第２の機能とを有することを特徴とする画像再生装置。
【請求項７】  複数の画像が記録された記録媒体より前記画像を再生して表示部に表示する表示工程と、
画像送りのためのスイッチが押されることに応じて、前記表示部に表示された画像を更新する更新工程と、
前記画像送りのためのスイッチが押され続けている状態のときに、前記更新工程における前記表示された画像の更新間隔を、前記更新工程で既に更新された画像数に応じて変更する更新間隔変更工程とを有し、
前記更新間隔変更工程では、前記既に更新された画像数が所定数に達する毎に段階的に更新間隔を短くすることを特徴とする画像再生方法。
【手続補正２】
【補正対象書類名】明細書
【補正対象項目名】０００６
【補正方法】変更
【補正の内容】
【０００６】
【課題を解決するための手段】
上記課題を解決するために、本発明の画像再生装置は、複数の画像が記録された記録媒体より前記画像を再生する再生手段と、前記再生手段によって再生された画像を表示部に表示させる表示制御手段と、前記表示部に表示された画像を更新する更新手段と、前記更新手段による前記表示された画像の更新間隔を前記記録媒体に記憶されている画像数に応じて変更する制御手段とを備え、前記制御手段は、前記記録媒体に記憶されている画像数が多くなるにつれて、短い更新間隔で前記表示された画像を更新可能となるよう制御することを特徴とする。
【手続補正３】
【補正対象書類名】明細書
【補正対象項目名】０００７
【補正方法】変更
【補正の内容】
【０００７】
また、本発明の画像再生装置は、複数の画像が記録された記録媒体より前記画像を再生する再生手段と、前記再生手段によって再生された画像を表示部に表示させる表示制御手段と、前記表示部に表示された画像を更新する更新手段と、前記更新手段による前記表示された画像の更新間隔を、前記更新手段によって更新された画像数に応じて変更する制御手段とを備え、前記制御手段は、前記更新手段によって更新された画像数が多くなるにつれて、短い更新間隔で前記表示された画像を更新可能となるよう制御することを特徴とする。
【手続補正４】
【補正対象書類名】明細書
【補正対象項目名】０００８
【補正方法】変更
【補正の内容】
【０００８】
また、本発明の画像再生装置は、複数の画像が記録された記録媒体より前記画像を再生する再生手段と、前記再生手段によって再生された画像を表示部に表示させる表示制御手段と、前記表示部に表示された画像を更新する更新手段と、前記更新手段による前記表示された画像の更新間隔を、前記記録媒体に記憶されている画像数及び前記更新手段によって更新された画像数に応じて変更する制御手段とを備え、前記制御手段は、前記記録媒体に記憶されている画像数が所定数以上である場合に、前記更新手段によって更新された画像数が多くなるにつれて、短い更新間隔で前記表示された画像を更新可能となるよう制御することを特徴とする。
【手続補正５】
【補正対象書類名】明細書
【補正対象項目名】０００９
【補正方法】変更
【補正の内容】
【０００９】
また、本発明の画像再生装置は、複数の画像が記録された記録媒体より前記画像を再生する再生手段と、前記再生手段によって再生された画像を表示部に表示させる表示制御手段と、前記表示部に表示された画像を更新する更新手段と、前記更新手段による前記表示された画像の更新間隔を、前記更新手段によって更新された画像数に応じて変更する制御手段とを備え、前記制御手段は、前記更新手段によって更新された画像数が所定数に達する毎に段階的に更新間隔を短くするよう制御することを特徴とする。
【手続補正６】
【補正対象書類名】明細書
【補正対象項目名】００１０
【補正方法】変更
【補正の内容】
【００１０】
また、本発明の画像再生方法は、複数の画像が記録された記録媒体より前記画像を再生して表示部に表示する表示工程と、画像送りのためのスイッチが押されることに応じて、前記表示部に表示された画像を更新する更新工程と、前記画像送りのためのスイッチが押され続けている状態のときに、前記更新工程における前記表示された画像の更新間隔を、前記更新工程で既に更新された画像数に応じて変更する更新間隔変更工程とを有し、前記更新間隔変更工程では、前記既に更新された画像数が所定数に達する毎に段階的に更新間隔を短くすることを特徴とする。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００３１
【補正方法】変更
【補正の内容】
【００３１】
まずｓ０１において、画像送りスイッチがオン（押されている）かオフ（放されている）かの判定を行った結果、画像送りスイッチが、オフ状態であれば、その時点における画像送り枚数値の値を判断して（ｓ０７）、該当する画像を選択して表示を行い（ｓ０８）、ｓ１３に分岐し、ｓ１４の処理を介して、ｓ１５で処理を終了するとともに、本フローチャートの一定間隔（約１６ｍｓｅｃ）での、実行を終了する。ｓ１３、ｓ１４の処理については後述する。
【手続補正１６】
【補正対象書類名】明細書
【補正対象項目名】００３４
【補正方法】変更
【補正の内容】
【００３４】
ｓ０５において、記録媒体内の記憶画像枚数が５枚未満と判断された場合には、ｓ０６によりキータイマーは”１０”と設定され、次回の画像送り枚数の更新までは、
更新時間＝キータイマーの値（”１０”）×フロー呼び出し間隔（約５０ｍｓｅｃ）
となる。すなわち、この場合、画像送りキーが押されて続けている場合には５００ｍｓｅｃごとに、画像送り数が”＋１”加算されることとなり、記録媒体であるメモリカード内より、５００ｍｓｅｃごとに画像が読み出されて表示され、コマ送りされることになる。
【手続補正１７】
【補正対象書類名】明細書
【補正対象項目名】００３５
【補正方法】変更
【補正の内容】
【００３５】
またｓ０５において、記録媒体内に記憶されている画像枚数が５枚以上／１０枚未満と判断された場合には、ｓ０９へと進み、画像送り枚数が５枚未満であれば、ｓ０６へと進み、キータイマーの値を”１０”とし、ｓ１３、ｓ１４へと移行してｓ１５でフローチャートを終了する。
【手続補正１８】
【補正対象書類名】明細書
【補正対象項目名】００３６
【補正方法】変更
【補正の内容】
【００３６】
またｓ０９で画像送り枚数が５枚以上で１０枚未満であった場合には、ｓ１０でキータイマーの設定を”５”にし、ｓ１３へと進む。
【手続補正１９】
【補正対象書類名】明細書
【補正対象項目名】００３７
【補正方法】変更
【補正の内容】
【００３７】
またｓ０５において、記録媒体内の画像枚数が１０枚以上と判断された場合には、ｓ１１へと進み、画像送り枚数を判別する。画像送り枚数が５枚未満であれば、ｓ０６に進み、キータイマーの設定を１０とし、ｓ１３、ｓ１４へと進み、ｓ１５で処理を終了してフローチャートを終了する。
【手続補正２０】
【補正対象書類名】明細書
【補正対象項目名】００３９
【補正方法】変更
【補正の内容】
【００３９】
さらにｓ１１で画像送り枚数が５枚以上１０枚未満であった場合には、ｓ１０へと進み、キータイマーの設定を５にする。
【手続補正２１】
【補正対象書類名】明細書
【補正対象項目名】００４０
【補正方法】変更
【補正の内容】
【００４０】
以上の処理よって、記録媒体内に記憶されている画像枚数が５枚未満の場合、及び画像送りスイッチを押し続け、画像送り枚数が５枚未満の場合には、キータイマーに１０が設定され、次回の画像送り枚数の更新までは、上述の式に基づき、
（１）  更新時間＝キータイマーの値（”１０”）×フロー呼び出し間隔（約５０ｍｓｅｃ）＝５００ｍｓｅｃとなる。
【手続補正２２】
【補正対象書類名】明細書
【補正対象項目名】００４１
【補正方法】変更
【補正の内容】
【００４１】
また記録媒体内に記憶されている画像枚数が５枚以上で、かつ画像送り枚数が５枚以上１０枚未満となった場合には、キータイマーに”５”が設定され、（１）の場合に比較して、画像送り間隔すなわち画像の更新時間が、
（２）  更新時間＝キータイマーの値（”５”）×フロー呼び出し間隔（約５０ｍｓｅｃ）＝２５０ｍｓｅｃ
と、短くなる。
【手続補正２３】
【補正対象書類名】明細書
【補正対象項目名】００４３
【補正方法】変更
【補正の内容】
【００４３】
また画像送り動作自体を見ると、画像送り枚数が５枚未満では各画像の更新間隔が長く低速（キータイマーの設定が１０）で、画像送り枚数が５枚以上、１０枚未満では画像の更新間隔がより短く中速（キータイマーの設定が５）で、画像送り枚数が１０枚以上ではさらに更新間隔が短く高速（キータイマーの設定が１）で、３段階に画像が送られることになる。またこれらの更新時間間隔は、必要に応じて変更したり、使用者が選択可能とすることができる。
【手続補正２４】
【補正対象書類名】明細書
【補正対象項目名】００４６
【補正方法】変更
【補正の内容】
【００４６】
ｓ１３で、画像送り枚数が記録媒体に記録された画像数に到達した場合には、画像送り枚数（更新枚数）をリセットする（ｓ１４）。
【手続補正２５】
【補正対象書類名】図面
【補正対象項目名】図２
【補正方法】変更
【補正の内容】
【図２】
2003061052.tif 000001